(57)【特許請求の範囲】
【請求項１】
扉、蓋、抽斗等の被施錠体を解施錠するための閂杆を有するシリンダ錠と、このシリンダ錠の複数のピン体のうち少なくとも１つのピン体の摺動を検知するピン体センサと、前記閂杆の解錠位置を検知する閂杆センサと、前記各センサの検出信号に基づいて報知装置の作動を制御するコントローラとを備えて成る施錠装置であって、
前記シリンダ錠の後端部に配設されたシリンダボックスには、閂杆が内装され、
前記閂杆は前記シリンダボックスに穿設されている摺動穴から出没することにより前記被施錠体を解施錠するように構成され、
前記閂杆センサは前記シリンダボックスの外面に設けられ、
前記コントローラは、前記ピン体センサの検出信号が入力されたのち、所定時間内に前記閂杆センサの検出信号が入力されない場合には、前記報知装置にて報知するように制御することを特徴とする施錠装置。
【請求項２】
扉、蓋、抽斗等の被施錠体を解施錠するための閂杆を有するシリンダ錠と、このシリンダ錠の複数のピン体のうち少なくとも１つのピン体の摺動を検知するピン体センサと、前記閂杆の解錠位置を検知する閂杆センサと、前記各センサの検出信号に基づいて報知装置の作動を制御するコントローラとを備えて成る施錠装置であって、
前記シリンダ錠の後端部に配設されたシリンダボックスには、閂杆が内装され、
前記閂杆は前記シリンダボックスに穿設されている摺動穴から出没することにより前記被施錠体を解施錠するように構成され、
前記閂杆センサは前記シリンダボックスの外面に設けられ、
前記コントローラには、前記シリンダ錠の鍵穴に所定の鍵を差し込んだ場合における前記ピン体センサの検出信号の入力パターンを予め記憶させた記憶手段を備えており、
前記コントローラは、前記ピン体センサの検出信号が前記記憶手段に予め記憶された入力パターンと異なるパターンで入力された場合、または、前記ピン体センサの検出信号のうち任意の１つが入力されたのち、所定時間内に前記閂杆センサの検出信号が入力されない場合には、前記報知装置にて報知するように制御することを特徴とする施錠装置。
【請求項３】
前記コントローラは、前記報知手段にて報知する制御を実行したのち、前記閂杆センサの検出信号が入力された場合には、前記報知手段による報知を停止するように制御することを特徴とする請求項１または２に記載した施錠装置。
【請求項４】
前記報知装置は、所定の携帯電話機、ＰＨＳ電話機または外部端末であり、これら各報知装置には、前記コントローラの出力側に接続した通信装置を介して前記コントローラの制御信号を伝送するように構成したことを特徴とする請求項１〜３のうちのいずれかに記載した施錠装置。
【発明の詳細な説明】
【０００１】
【発明の属する技術分野】
本発明は、金庫等における扉、各種容器の蓋、机や家具における抽斗等の被施錠体を解施錠するための施錠装置に関するものである。
【０００２】
【従来の技術】
種々の錠前のうち現在最も普及しているシリンダ錠は、外筒に鍵穴を備えた内筒が回動可能に嵌め込まれた構成となっており、この内筒の一端には、シリンダカムが、金庫等における扉、各種容器の蓋、机や家具における抽斗等（以下、被施錠体と称する）を解施錠するための閂杆に関連させて配設されている。前記外筒及び前記内筒にわたって前記鍵穴に連通するように穿設した複数のピン穴には、タンブラピン及びドライバピンから成るピン体と、当該ピン体を前記鍵穴の方向に押圧付勢するばねとがそれぞれ嵌挿されている。
【０００３】
この種のシリンダ錠では、前記鍵穴に所定の鍵を差し込んで、前記タンブラピンと前記ドライバピンとの接触面を前記外筒と前記内筒との嵌合面に一致させた状態で、前記内筒ひいては前記シリンダカムを所定方向に回動させると、前記シリンダカムの回動に連動して前記閂杆が摺動することによって、前記被施錠体が解施錠されるようになっている。
【０００４】
【発明が解決しようとする課題】
ところで、前記従来のシリンダ錠では、所定の鍵以外のもの（例えばピッキング工具等）で前記各ピン体を押し上げていくと、前記タンブラピンと前記ドライバピンとの接触面の全てが偶然に前記外筒と前記内筒との嵌合面に一致して、前記被施錠体が不正に解錠される（ピッキング）おそれがあった。
【０００５】
このようなピッキングを防止するため、例えば、特開２０００−１１０４１９号公報では、鍵穴における鍵挿入口に、鍵等の挿入の有無を検知する第１センサを設ける一方、シリンダカムにその回動を検知する第２センサを設け、さらに、前記シリンダカムを回動不能に保持するロック機構と、前記第１センサ及び前記第２センサの検出信号の時間差を計算して前記ロック機構の作動を制御するコントロール機構とを備えて成るシリンダ錠の構成が開示されている。
【０００６】
この構成では、施錠状態において鍵等が前記第１センサに接触すると、すなわち、前記鍵穴に前記鍵等を差し込むと、前記コントロール機構が作動して、前記第２センサの検出信号の入力を待機する状態となる。そして、予め設定した時間（前記公報に記載の実施形態では３秒）を経過しても、前記第２センサが前記シリンダカムの回動を検知しないと、前記コントロール機構は、前記ロック機構が前記シリンダカムを回動不能に固定するように作動制御して、施錠状態を解除できないようにするのである。
【０００７】
しかし、前記先行技術の構成では、前記鍵穴に適合した所定の鍵で解錠する場合であっても、前記鍵が前記第１センサに接触してから前記第２センサが前記シリンダカムの回動を検知するまでの時間が、前記設定時間よりも長ければ、前記ロック機構が前記シリンダカムを回動不能に固定して、施錠状態を解除できなくなる。この場合、一定の長時間（前記公報に記載の実施形態では３０分）経過しないと、前記シリンダカムの固定を解除できないから、利用者にとっては使い勝手が悪いという問題があった。
【０００８】
しかも、前記第１センサは前記鍵挿入口に取り付けられているため、鍵等が接触してしまう可能性が高く、意図せず施錠状態が解除不能となるおそれがあるという問題もあった。
【０００９】
そこで、本発明は、以上の問題を解消した施錠装置を提供することを技術的課題とする。
【００１０】
【課題を解決するための手段】
この技術的課題を解決するため、請求項１の発明は、扉、蓋、抽斗等の被施錠体を解施錠するための閂杆を有するシリンダ錠と、このシリンダ錠の複数のピン体のうち少なくとも１つのピン体の摺動を検知するピン体センサと、前記閂杆の解錠位置を検知する閂杆センサと、前記各センサの検出信号に基づいて報知装置の作動を制御するコントローラとを備えて成る施錠装置であって、前記シリンダ錠の後端部に配設されたシリンダボックスには、閂杆が内装され、前記閂杆は前記シリンダボックスに穿設されている摺動穴から出没することにより前記被施錠体を解施錠するように構成され、前記閂杆センサは前記シリンダボックスの外面に設けられ、前記コントローラは、前記ピン体センサの検出信号が入力されたのち、所定時間内に前記閂杆センサの検出信号が入力されない場合には、前記報知装置にて報知するように制御する構成としたものである。
【００１１】
請求項２の発明は、扉、蓋、抽斗等の被施錠体を解施錠するための閂杆を有するシリンダ錠と、このシリンダ錠の複数のピン体のうち少なくとも１つのピン体の摺動を検知するピン体センサと、前記閂杆の解錠位置を検知する閂杆センサと、前記各センサの検出信号に基づいて報知装置の作動を制御するコントローラとを備えて成る施錠装置であって、前記シリンダ錠の後端部に配設されたシリンダボックスには、閂杆が内装され、前記閂杆は前記シリンダボックスに穿設されている摺動穴から出没することにより前記被施錠体を解施錠するように構成され、前記閂杆センサは前記シリンダボックスの外面に設けられ、前記コントローラには、前記シリンダ錠の鍵穴に所定の鍵を差し込んだ場合における前記ピン体センサの検出信号の入力パターンを予め記憶させた記憶手段を備えており、前記コントローラは、前記ピン体センサの検出信号が前記記憶手段に予め記憶された入力パターンと異なるパターンで入力された場合、または、前記ピン体センサの検出信号のうち任意の１つが入力されたのち、所定時間内に前記閂杆センサの検出信号が入力されない場合には、前記報知装置にて報知するように制御する構成としたものである。
【００１２】
【００１３】
請求項３の発明は、請求項１または２において、前記コントローラは、前記報知手段にて報知する制御を実行したのち、前記閂杆センサの検出信号が入力された場合には、前記報知手段による報知を停止するように制御する構成としたものである。
【００１４】
さらに、請求項４の発明は、請求項１〜３のうちのいずれかにおいて、前記報知装置は、所定の携帯電話機、ＰＨＳ電話機または外部端末であり、これら各報知装置には、前記コントローラの出力側に接続した通信装置を介して前記コントローラの制御信号を伝送するように構成したものである。
【００１５】
【発明の効果】
請求項１のように構成すると、例えばピッキング工具で不正に解錠する場合、鍵穴にピッキング工具を差し込んでから所定時間経過後には、報知装置にて報知するから、シリンダ錠が解錠される前に、不正に解錠する者を、報知装置での報知によって威嚇等して未遂とすることができ、不正解錠（ピッキング）を防止することができる。
【００１６】
また、請求項２のように構成すると、ピン体センサの検出信号が記憶手段に予め記憶された入力パターンと異なるパターンで入力された場合、または、前記ピン体センサの検出信号のうち任意の１つが入力されたのち、所定時間内に閂杆センサの検出信号が入力されない場合には、報知装置にて報知するようにしているから、請求項１のように不正解錠に対する時間を制限できることに加えて、所定の鍵以外のもの（ピッキング工具等）で解錠することが難しくなり、ピッキング等に対する防盗性がより向上するのである。
【００１７】
【００１８】
なお、請求項１または２において、請求項３の構成を採用すれば、コントローラは、閂杆センサの検出信号が入力されると、報知装置の作動を停止する制御を実行するから、所定時間が経過して報知装置が作動した場合に、所定の鍵で通常の解錠操作することで、報知装置の作動を停止させることが可能となる。
【００１９】
請求項４のように構成すると、シリンダ錠の利用者等は、報知装置としての所定の携帯電話機、ＰＨＳ電話機または外部端末により、外出先等の遠隔地からでもシリンダ錠が不正解錠されている旨を知ることができ、警察や警備会社等へ通報するなど、迅速な対応が可能となる。
【００２０】
【発明の実施の形態】
以下、本発明を具体化した実施形態を図面に基づいて説明する。図１〜図７は本発明を金庫１に適用した第１実施形態を示しており、最初に、金庫１の全体概要を、図１を参照して説明する。
【００２１】
金庫１は、前面を開口した略箱状の本体２と、この開口部に配設した水平回動式の扉３とにより構成されている。扉３の表面のうち自由端側の箇所には、当該扉３を開閉操作するためのハンドル４が回動自在に装着されている。ハンドル４を回動すると、当該ハンドル４に関連させて設けた作動杆（図示せず）が、左右摺動して本体２の第１係止穴（図示せず）に係脱するように構成されている。扉３の表面のうちハンドル４の上方箇所には、シリンダ錠５が当該扉３を厚さ方向（表裏幅方向）に貫通するように配設されている。なお、扉３は前述の被施錠体に相当するものである。
【００２２】
次に、シリンダ錠５の構造を、図２、図３及び図６を参照して説明する。なお、図２及び図６では、扉３と後述するシリンダボックス２１とが図示省略されており、図３では扉３が図示省略されている。
【００２３】
図２に示すように、シリンダ錠５は、略円筒状の外筒６と、当該外筒６の嵌合穴に回動自在に嵌め込まれた略円柱状の内筒７とを備えている。内筒７には軸線方向に延びる鍵穴８が穿設されており、この鍵穴８は内筒７の前端部（扉３の表面側）において開口している（図１参照）。内筒７の後端部（扉３の裏面側）には、当該内筒７とともに回動し得るシリンダカム１０が、扉３を解施錠するための閂杆１１に関連させて配設されている（詳細は後述する）。
【００２４】
内筒７には、鍵穴８から半径方向外向きに延びる複数のピン穴１３（図２では５つ）が軸線方向に間隔を隔てて穿設されている。そして、外筒６にも、内筒７を所定角度に回動させたときに当該内筒７の各ピン穴１３に連通するピン穴１２が、当該内筒７のピン穴１３と同じ数だけ（図２では５つ）穿設されている。
【００２５】
これら各ピン穴１２，１３には、タンブラピン１５及びドライバピン１６から成るピン体と、当該各ピン体を半径方向内向きに押圧付勢するばね１７とが、外筒６のピン穴１２と内筒７のピン穴１３とが合致した状態において鍵穴８に近い側からタンブラピン１５、ドライバピン１６、ばね１７の順に並ぶように嵌挿されている。
【００２６】
各ピン体を構成する両ピン１５，１６の上下方向の長さは、鍵穴８に差し込んだ鍵９の上縁部における凹凸状の鍵溝パターン（詳細は後述する）に対応して押し上げられた両ピン１５，１６の接触面１８が、外筒６と内筒７との嵌合面１９に一致するように設定されている（図６参照）。
【００２７】
以下の説明では、便宜上、互いに連通するピン穴１２，１３同士を、まとめてピン穴１４と称し、これら各ピン穴１４と、当該各ピン穴１４に対応するピン体（タンブラピン１５、ドライバピン１６）とに対して、鍵穴８（外筒６または内筒７）の軸線方向の並び順に符号ａ，ｂ，ｃ，ｄ，ｅを付す。
【００２８】
図６に示すように、鍵９の上縁部における凹凸状の鍵溝パターンは、鍵９の先端から根元部に向かって、第１山部９０、タンブラピン１５ｅに当接する第１谷部９５、タンブラピン１５ｄに当接する第２山部９４、タンブラピン１５ｃに当接する第２谷部９３、タンブラピン１５ｂに当接する第３山部９２、タンブラピン１５ａに当接する第４山部９１の順に形成されている。
【００２９】
図２及び図６に示すように、外筒６の後部には、軸線方向の最後尾のピン穴１４ｅに嵌挿したピン体の摺動を検知するピン体スイッチ２０ｅが配設されている。このピン体スイッチ２０ｅは、請求項に記載したピン体センサに該当するものであり、最後尾のピン穴１４ｅに臨む検知部４０ｅがドライバピン１６ｅと接触したか否かにより、前記ピン体の摺動の有無を検知するリミットスイッチ式のものである。
【００３０】
図３に示すように、シリンダ錠５の後端部に配設した略箱状のシリンダボックス２１は、扉３の裏面に対してねじ止めされている。詳細は図示しないが、このシリンダボックス２１には、内筒７とともに回動し得るシリンダカム１０と、扉３を解施錠するための閂杆１１とが内装されている。
【００３１】
シリンダカム１０と閂杆１１とは、連結バー（図示せず）を介して連結されている。閂杆１１は、シリンダカム１０の回動運動を、前記連結バーを介して摺動運動に変換して、図３においてシリンダボックス２１の右側面に穿設した摺動穴２２から出没するように構成されている。これにより、閂杆１１は本体２の第２係止穴（図示せず）に係脱するようになっている。
【００３２】
図３においてシリンダボックス２１の前面には、左右長手の溝穴２３が穿設されており、この溝穴２３からは、閂杆１１に固着した位置検出バー２４が外向きに突出している。溝穴２３の左端部には、閂杆１１の解錠位置、すなわち、閂杆１１がシリンダボックス２１に没入した位置にあることを検知する閂杆スイッチ２５がねじ止めされている。この閂杆スイッチ２５は請求項に記載した閂杆センサに該当するものである。
【００３３】
位置検出バー２４は、閂杆１１の左右摺動に連動して溝穴２３に沿うように摺動し、閂杆１１がシリンダボックス２１に没入した状態で、閂杆スイッチ２５の検知部４５と接触するように構成されている（図３の２点鎖線状態参照）。このように、閂杆スイッチ２５の検知部４５と位置検出バー２４とが接触したか否かで入り切り（ＯＮ・ＯＦＦ）作動することにより、閂杆スイッチ２５は閂杆１１が解錠位置にあるか否かを検知するようになっている。
【００３４】
次に、本発明に係る報知装置の作動を制御するための構成を、図４を参照して説明する。ここで、図４は、当該制御を実行するマイクロコンピュータ等のコントローラ２７における機能ブロック図である。コントローラ２７は、各種演算を実行する中央処理装置（ＣＰＵ）２８のほか、制御プログラムを記憶させるための読み出し専用メモリ（ＲＯＭ）２９、各種データを記憶させるための随時読み書き可能メモリ（ＲＡＭ）３０、ピン体スイッチ２０ｅ及び閂杆スイッチ２５の応答を監視して所定時間を超えた場合にＣＰＵ２８に異常発生を知らせるタイマ４３、後述する各種入力部及び出力部に接続してデータを伝送するための入出力インターフェイス等を備えている。
【００３５】
コントローラ２７の入力インターフェイスには、前述のピン体スイッチ２０、閂杆スイッチ２５、電源スイッチ２６及び解除スイッチ４４がそれぞれ接続されている。他方、出力インターフェイスには報知装置の一例としてのブザー３１が接続されている。なお、コントローラ２７、ブザー３１、電源スイッチ２６、解除スイッチ４４及び前記コントローラ２７に電力を供給するための電池３２は、制御ボックス３３に収納された状態で、例えば、本体２内の棚部や扉３の裏面等における適宜個所に配設されている。
【００３６】
次に、シリンダ錠５の解錠動作と、コントローラ２７の制御態様とを、主に図５〜図７を参照して説明する。なお、図５においても扉３とシリンダボックス２１とが図示省略されている。
【００３７】
施錠状態にあるシリンダ錠５を解錠するに際して、鍵穴８に所定の鍵９を差し込むと、この鍵９の鍵溝パターンに対応して、各ピン体がばね１７の付勢力に抗して押し上げられる。鍵９の第１山部９０が最後尾のタンブラピン１５ｅを押し上げると、ドライバピン１６ｅがピン体スイッチ２０ｅの検知部４０ｅに接触して（図５参照）、ピン体スイッチ２０ｅが入り（ＯＮ）作動する。
【００３８】
このピン体スイッチ２０ｅのＯＮ信号がコントローラ２７に入力されると、当該コントローラ２７の指令により、タイマ４３が予め設定した時間（第１実施形態では３〜５秒に設定）のカウントを開始する。
【００３９】
次いで、図６及び図７（Ａ）に示すように、鍵穴８に所定の鍵９を最奥まで差し込むと、各ピン体におけるタンブラピン１５ａ〜１５ｅとドライバピン１６ａ〜１６ｅとの接触面１８が、外筒６と内筒７の嵌合面１９に一致する。
【００４０】
そして、鍵９にて内筒７を時計回りに回動させると（図７（Ｂ）参照）、シリンダカム１０の回動に伴って閂杆１１がシリンダボックス２１に没入し、シリンダ錠５が解錠される。このとき同時に、閂杆１１に取り付く位置検出バー２４が閂杆スイッチ２５の検知部４５と接触して（図３参照）、閂杆スイッチ２５が入り（ＯＮ）作動する。
【００４１】
以上において、前記閂杆スイッチ２５のＯＮ信号が前記設定時間内にコントローラ２７に入力されると、当該コントローラ２７の指令によりタイマ４３が前記設定時間のカウントを終了し、そのままシリンダ錠５が解錠される。
【００４２】
一方、閂杆スイッチ２５のＯＮ信号がコントローラ２７に入力される前に、前記設定時間を経過すると、タイマ４３から異常発生を知らせる制御信号がＣＰＵ２８に入力され、この検出結果に基づいてブザー３１が警告音を発する。この場合は、例えば、シリンダ錠５を解錠して扉３を開放したのち、制御ボックス３３等に設けた解除スイッチ４４を押して、ブザー３１の作動を停止させるようにする。
【００４３】
以上のように制御すると、例えばピッキング工具で不正に解錠する場合、鍵穴８にピッキング工具を差し込んで、最後尾のタンブラピン１５ｅを押し上げると、それから前記設定時間経過後にブザー３１が警告音を発することになる。したがって、シリンダ錠５が解錠される前に、不正に解錠する者をブザー３１の警告音で威嚇等して未遂とすることができ、不正解錠（ピッキング）を防止できるのである。
【００４４】
なお、報知装置としてのブザー３１に代えて、表示ランプを点滅させることによって、不正に解錠する者を威嚇等するように構成してもよい。また、前記設定時間が経過してブザー３１が警告音を発した場合には、内筒７の回動にて閂杆スイッチ２５が入り（ＯＮ）作動させると当該閂杆スイッチ２５のＯＮ信号が入力されたコントローラ２７がブザー３１の作動を停止する制御を実行するように構成しておけば、所定の鍵９で通常の解錠操作をして、ブザー３１の作動を停止させることも可能である。
【００４５】
ところで、前記制御の別例として、コントローラ２７のＲＯＭ２９に、ピン体スイッチ２０のＯＮ信号の入力回数に関するデータを予め記憶させておき、コントローラ２７に対して、閂杆スイッチ２５のＯＮ信号が入力される前に、ピン体スイッチ２０のＯＮ信号がＲＯＭ２９に予め記憶させた入力回数と同じ回数（第１実施形態では３回）入力された場合も、コントローラ２７はブザー３１が警告音を発するように制御することが可能である。
【００４６】
この場合は、コントローラ２７のＲＯＭ２９が請求項に記載した記憶手段に相当し、ピン体スイッチ２０のＯＮ信号の入力回数に関するデータが請求項に記載した入力パターンに相当する。
【００４７】
このように制御すると、例えばピッキング工具で不正に解錠するため、ピッキング工具の抜き差しを何度か実行して、最後尾のタンブラピン１５ｅを３回押し上げたところで、ブザー３１が警告音を発することになる。すなわち、鍵穴８に所定の鍵９以外のものを挿入する回数を制限できるから、この場合も、不正解錠（ピッキング）を防止できる。また、第１実施形態の制御方式とこの別例としての制御方式とを組み合わせれば、不正解錠に対する時間と、鍵穴に所定の鍵以外のものを挿入する回数とを制限することができ、ピッキング等に対する防盗性が向上するのである。
【００４８】
なお、所定の鍵９の抜き差しを複数回実行した場合も、ブザー３１が警告音を発することになるが、この場合も、例えば、シリンダ錠５を解錠して扉３を開放したのち、制御ボックス３３に設けた解除スイッチ４４を押して、ブザー３１の作動を停止させるようにすればよい。
【００４９】
図８はピン体スイッチ２０ｅの配置形態の別例としての第２実施形態を示している。なお、第２実施形態以降の実施形態において、構成及び作用が第１実施形態と変わらないものは、第１実施形態のものと同じ符号を付して、その詳細な説明を省略する。
【００５０】
第２実施形態では、外筒６における最後尾のピン穴１４ｅの上端に、ロッド穴３４が穿設されており、このピン穴１４ｅに、第１実施形態におけるドライバピン１６ｅに代えて、軸部にばね１７を装着したプッシュロッド３５が嵌挿されている。そして、外筒６の上面におけるロッド穴３４の箇所に、ピン体スイッチ２０ｅが取り付けられている。
【００５１】
プッシュロッド３５の軸部の先端はロッド穴３４を貫通しており、プッシュロッド３５が上方に摺動すると、この軸部の先端がピン体スイッチ２０に接触するように設定されている。
【００５２】
以上のように、ピン体スイッチ２０ｅを外筒６に対して外付けした場合であっても、第１実施形態と同様の作用効果を得ることができる。また、ピン体スイッチ２０ｅは、最後尾のピン穴１４ｅに対応させて取り付けるに限らず、いずれのピン穴１４ａ〜１４ｄに対応させて取り付けてもよい。
【００５３】
図９〜図１２は複数個のピン体スイッチ２０を用いた第３実施形態を示している。なお、図９〜図１２においても扉３とシリンダボックス２１とが図示省略されている。
【００５４】
この実施形態では、３つのピン体スイッチ２０ｃ，２０ｄ，２０ｅが、それぞれピン穴１４ｃ，１４ｄ，１４ｅに対応するように配設されている。そして、コントローラ２９のＲＯＭ２９に、ピン体スイッチ２０ｃ〜２０ｅのＯＮ・ＯＦＦ信号（検出信号）における所定の入力パターンのデータを予め記憶させている。このＲＯＭ２９は請求項に記載した記憶手段に相当する。
【００５５】
表１はピン体スイッチ２０ｃ〜２０ｅにおける入り切り（ＯＮ・ＯＦＦ）動作の順序を示す前記入力パターンの一例である。
【００５６】
【表１】
0003763395.tif 000002
【００５７】
以上の構成において、図９に示すように、施錠状態にあるシリンダ錠５の鍵穴８に所定の鍵９を差し込んで、鍵９の先端の第１山部９０が、前から３番目のタンブラピン１５ｃを押し上げると、ドライバピン１６ｃがピン体スイッチ２０ｃの検知部４０ｃと接触して、ピン体スイッチ２０ｃのみが入り（ＯＮ）作動する。この段階は表１の第１段階に相当する。
【００５８】
次いで、図１０に示すように、鍵９を奥へ差し込むと、第１山部９０が前から４番目のタンブラピン１５ｄを押し上げて、ドライバピン１６ｄがピン体スイッチ２０ｄの検知部４０ｄと接触することにより、当該ピン体スイッチ２０ｄが入り（ＯＮ）作動する一方、前から３番目の両ピン１５ｃ，１６ｃがばね１７にて鍵９の第１谷部９５に向かって押圧付勢されることにより、前から３番目のピン体スイッチ２０ｃが切り（ＯＦＦ）作動する。すなわち、この段階（表１の第２段階に相当）では、前から４番目のピン体スイッチ２０ｄのみが入り（ＯＮ）作動する。
【００５９】
次いで、図１１に示すように、鍵９をより奥へ差し込むと、第１山部９０が最後尾のタンブラピン１５ｅを押し上げて、ドライバピン１６ｅがピン体スイッチ２０ｅの検知部４０ｅと接触することにより、当該ピン体スイッチ２０ｅが入り（ＯＮ）作動する。また同時に、前から４番目の両ピン１５ｄ，１６ｄがばね１７にて第１谷部９５に向かって押圧付勢されることにより、前から４番目のピン体スイッチ２０ｄが切り（ＯＦＦ）作動する。さらに、第２山部９４が前から３番目のタンブラピン１５ｃを押し上げて、ドライバピン１６ｃがピン体スイッチ２０ｃの検知部４０ｃと接触することにより、当該ピン体スイッチ２０ｃが入り（ＯＮ）作動する（表１の第３段階参照）。
【００６０】
そして、図１２に示すように、鍵９が鍵穴８にきっちりと差し込まれると、ピン体スイッチ２０ｃ〜２０ｅが３つとも切り（ＯＦＦ）作動する。この段階は表１の第４段階に相当する。
【００６１】
それぞれの段階において、コントローラ２７には、各ピン体スイッチ２０ｃ〜２０ｅの入り切り動作についてのＯＮ・ＯＦＦ信号（検出信号）が入力されるようになっている。コントローラ２７は、各段階において入力されたＯＮ・ＯＦＦ信号のパターンと、ＲＯＭ２９に予め記憶された入力パターンとを比較して最後まで一致すれば、ブザー３１を作動させることなく、シリンダ錠５を解錠することができる。一方、１つでも異なるパターンがあれば、ブザー３１が警告音を発するのである。
【００６２】
以上のように制御すると、所定の鍵９以外のものを鍵穴８に差し込んだだけで、ブザー３１が警告音を発することになるから、この場合もピッキング等に対する防盗性が向上するのである。
【００６３】
また、この場合も、前述のタイマ４３を用いて、図９に示す第１段階におけるピン体スイッチ２０ｃのＯＮ信号がコントローラ２７に入力されてから、図１２に示す第４段階における各ピン体スイッチ２０ｃ，２０ｄ，２０ｅのＯＮ・ＯＦＦ信号がコントローラ２７に入力されるまでに、設定時間を経過すれば、コントローラ２７はブザー３１が警告音を発する制御を実行するようにしてもよい。
【００６４】
なお、第３実施形態では、閂杆１１の解錠位置を検知するための構成（閂杆スイッチ２５等）はなくてもよい。ピン体スイッチ２０は、複数のピン穴１４ａ〜１４ｅの全部に対応させて取り付けてもよい。本発明に係る入力パターンは、前述の実施形態のものに限定されず、鍵９の鍵溝パターンやピン体スイッチ２０の個数等に応じて任意に設定できることはいうまでもない。
【００６５】
図１３は、報知装置を作動制御する構成の別例としての第４実施形態を示している。この実施形態において第１実施形態と異なる点は、コントローラ２７の入力インターフェイスに、携帯電話機４１の電話番号や、その他の各種データを予め設定するための設定入力器３６が、出力インターフェイスに、外部通信回線３９を介して所定の携帯電話機４１または外部端末４２と送受信可能な通信装置３７がそれぞれ接続されている点である。
【００６６】
第４実施形態では、携帯電話機４１と外部端末４２とは、前述のブザー３１と同様に、本発明に係る報知装置に相当する。また、コントローラ２７は、第１実施形態における電池３２に代えて、外部電源３８に接続してもよい。
【００６７】
以上の構成において、例えばピッキング工具で不正に解錠するため、鍵穴８にピッキング工具を差し込んで、最後尾のタンブラピン１５ｅを押し上げた場合は、それから所定時間経過後に、コントローラ２７は、ブザー３１を作動させるとともに、ＲＡＭ３０に予め登録した電話番号を通信装置３７にて発信し、外部通信回線３９を介して所定の携帯電話機４１または外部端末４２を呼び出して、シリンダ錠５が不正解錠されている旨を知らせる警告音やメッセージを伝送するように設定されている。
【００６８】
このように制御すると、金庫１の使用者は、外出先等の遠隔地からでもシリンダ錠５が不正解錠されている旨を知ることができ、警察や警備会社等へ通報するなど、迅速に対応することができるのである。なお、第４実施形態では、携帯電話機４１に代えて、ＰＨＳ電話機を用いてもよいことはいうまでもない。
【００６９】
本発明は図示の形態以外にも様々に具体化できる。例えば、シリンダ錠５は図示の形態に限らず、例えばピン穴が正面視略放射状に延びるいわゆるカバ錠等にも適用できる。
【００７０】
また、ハンドル４に関連させて設けた作動杆（図示せず）の長手方向中途部に形成した切り欠き部に、閂杆１１が係脱するように構成することにより、扉３を施錠状態とするようにしてもよい。ピン体センサ及び閂杆センサは、前述の実施形態におけるリミットスイッチに限らず、他の形態の接触型スイッチや、光電型スイッチ、光ファイバ型スイッチ等の近接スイッチであってもよい。
【００７１】
さらに、本発明は、金庫、住宅やオフィス、自動車等における扉、各種容器の蓋、机や家具における抽斗等を解施錠するための施錠装置に広く適用できることはいうまでもない。
【図面の簡単な説明】
【図１】  本発明を適用した金庫の斜視図である。
【図２】  第１実施形態におけるシリンダ錠の施錠状態を示す側断面図である。
【図３】  扉の裏面側から見たシリンダボックスの斜視図である。
【図４】  コントローラの機能ブロック図である。
【図５】  鍵の差し込み途中の状態を示すシリンダ錠の側断面図である。
【図６】  鍵を最後まで差し込んだ状態を示すシリンダ錠の側断面図である。
【図７】  （Ａ）は図６のＶＩＩ−ＶＩＩ視正断面図、（Ｂ）は内筒が解錠方向に回動した状態を示す正断面図である。
【図８】  ピン体センサの別例としての第２実施形態を示す図である。
【図９】  第３実施形態において第１段階の鍵の差し込み状態を示すシリンダ錠の側断面図である。
【図１０】  第２段階の鍵の差し込み状態を示すシリンダ錠の側断面図である。
【図１１】  第３段階の鍵の差し込み状態を示すシリンダ錠の側断面図である。
【図１２】  鍵を最奥に差し込んだ第４段階の状態を示すシリンダ錠の側断面図である。
【図１３】  第４実施形態におけるコントローラの機能ブロック図である。
【符号の説明】
１  金庫
３  扉
５  シリンダ錠
６  外筒
７  内筒
８  鍵穴
９  鍵
１０  シリンダカム
１１  閂杆
１４ａ〜１４ｅ  ピン穴
１５ａ〜１５ｅ  タンブラピン
１６ａ〜１６ｅ  ドライバピン
１７  ばね
２０ｃ〜２０ｅ  ピン体センサとしてのピン体スイッチ
２５  閂杆センサとしての閂杆スイッチ
２７  コントローラ
２８  ＣＰＵ
２９  記憶手段としてのＲＯＭ
３０  ＲＡＭ
３１  報知装置の一例としてのブザー
３７  通信装置
４１  報知装置の一例としての携帯電話機
４２  報知装置の一例としての外部端末
４３  タイマ
【図１】
0003763395.tif 000003
【図２】
0003763395.tif 000004
【図３】
0003763395.tif 000005
【図４】
0003763395.tif 000006
【図５】
0003763395.tif 000007
【図６】
0003763395.tif 000008
【図７】
0003763395.tif 000009
【図８】
0003763395.tif 000010
【図９】
0003763395.tif 000011
【図１０】
0003763395.tif 000012
【図１１】
0003763395.tif 000013
【図１２】
0003763395.tif 000014
【図１３】
0003763395.tif 000015